(57)【要約】【課題】内容物放出操作構造において側面カバーありの放出操作部としてのトリガレバーに対して誤動作防止の実効化と技術の豊富化を図る。【解決手段】一対のウイング状部１ｂとこれらの間の下方側に上開口の曲面態様で連続形成された中央凹み部１ａとからなる誤動作防止用ストッパー１が着脱され、エアゾール容器５に一体化された上カバー４ａと、このカバーに対する下方向への移動により内容物放出状態へ移行させるトリガレバー２と、このトリガレバーと連動して下方向へ移動し内容物の外部空間放出通路として作用するＬ字状ノズル３と、を備えた。誤動作防止用ストッパー１を静止モードのＬ字状ノズル３の前端側外周面の回りの前後方向スペースＳに前方側から入れることで、このストッパーのウイング状部１ｂが傾斜面４ｂに保持された状態でＬ字状ノズル３の下側外周面を下支えする。この下支えによりトリガレバー２の内容物放出状態への移動を阻止する。【選択図】図３
2020062607.tif 000002
【特許請求の範囲】
【請求項１】
誤動作防止用ストッパーが着脱され、利用者の内容物放出操作に基づいて容器の内容物を外部空間域に放出するための内容物放出操作構造において、
前記容器に一体化された上カバーと、
前記内容物放出操作の対象であって、前記上カバーに対する下方向への移動により、前記内容物が放出されない静止モードから内容物放出状態の作動モードへシフトさせる放出操作部と、
前記放出操作部と連動して前記内容物に対する弁作用部を前記静止モードから前記作動モードに移行させ、かつ、前記弁作用部から流入する内容物の外部空間域への放出通路として作用するノズルとを備え、
前記誤動作防止用ストッパーは、
前記上カバーに保持される一対のウイング状部と、
これらウイング状部間の下方側に上開口の曲面態様で連続形成されて、前記ノズルの前端側外周面の回りの前後方向スペースに前記ノズルの前方側からその後側へと入れられることにより前記静止モードの前記ノズルの下側外周面を下支えして、前記操作部の前記作動モードへの移動を阻止する曲面状の中央凹み部と、からなる、
ことを特徴とする内容物放出操作構造。
【請求項２】
容器の内容物をその放出操作部と連動関係にたつノズルから外部空間域に放出するための内容物放出操作構造に取り付けられる誤動作防止用ストッパーにおいて、
前記容器に一体化された上カバーに保持される一対のウイング状部と、
これらウイング状部間の下方側に上開口の曲面態様で連続形成されて、前記ノズルの前端側外周面の回りの前後方向スペースに前記ノズルの前方側から後側へと入れられることにより、静止モードの前記ノズルの下側外周面を下支えして、前記放出操作部の作動モードへの移動を阻止する曲面状の中央凹み部と、を備えている、
ことを特徴とする誤動作防止用ストッパー。
【請求項３】
前記中央凹み部は、
その前後方向と直交する縦断面がＵ字形状の凹み部であり、
前記Ｕ字形状の凹み部およびその左右両側の前記一対のウイング状部からなる全体が、前記凹み部の前後方向を中心とした左右対称の形状に設定された、
ことを特徴とする請求項２記載の誤動作防止用ストッパー。
【請求項４】
請求項１記載の内容物放出操作構造を備え、かつ、内容物および内容物放出用ガスを収容した、
ことを特徴とするエアゾール式製品。
【請求項５】
請求項１記載の内容物放出操作構造を備え、かつ、内容物を収容した、
ことを特徴とするポンプ式製品。
【発明の詳細な説明】
【技術分野】
【０００１】
本発明は、内容物放出操作構造としての例えば回動タイプのトリガレバー、およびこれと連動して放出操作なしの静止モードから放出操作にともなう作動モードへシフトする内容物放出用のノズルを備えた内容物放出機構の誤動作防止用ストッパー（以下、必要に応じて単に「誤動作防止用ストッパー」という。）に関する。
【０００２】
本発明においては内容物の放出口の側を「前」と記載し、これとは反対側を「後」と記載する。すなわち図１，図４および図５などの左側が「前」、右側が「後」である。
【０００３】
また、図示上下方向を「縦」、上述の前後方向を「横」と記載し、これら「縦」および「横」の各方向と直交する方向（図１，図４，図５の紙面垂直方向や図２の紙面横方向）を「左右」と記載する。
【０００４】
本発明の誤動作防止用ストッパーは、左右一対でそれぞれトリガレバーの上カバー部分に保持されるウイング状部と、これらの間の下方側に配設されてノズルを下支えしその静止モードから作動モードへのシフト動作を直接に阻止する中央凹み部と、からなる。
【０００５】
すなわち、左右一対のウイング状部がそれぞれトリガレバーに対する左右の上カバー部分に保持された状態で、その間の中央凹み部がノズルを下側から支えて、これによりノズル自体およびこれの駆動源としてのトリガレバーの下動がともに阻止される。
【０００６】
誤動作防止用ストッパーを取り付けた状態のロックモードでトリガレバーが不用意な操作やシフトなどにより回動しようとしても、そもそもこれと連動関係にたつノズル自体が前記ストッパーで止められているので、その回動操作は確実に阻止される。
【０００７】
このように本発明の誤動作防止用ストッパーは、トリガレバーや押下げ式などの内容物放出操作部と連動する放出用ノズル（例えばＬ字状ノズル）をその静止モード位置に保持して、前記ノズルが不用意に作動モード位置へ移行しないようにしたものである。
【０００８】
また、中央凹み部およびその左右両側のウイング状部からなる誤動作防止用ストッパーの全体を、中央凹み部の前後方向を中心とした左右対称形状に設定している。
【背景技術】
【０００９】
本件出願人は、トリガレバーおよびこれと連動する内容物通路用のＬ字状ノズルを備えた内容物放出機構において、誤動作防止用ストッパーを、ノズル上流側縦部分に側方から入れてこのノズル縦部分の上端側とカバーとの間に配設することを提案済みである（特許文献１参照）。
【００１０】
この誤動作防止用ストッパーは略Ｃ形横断面からなる縦方向部材であって、その内周面（Ｃ字状部分）がＬ字状ノズルの上流側縦部分の外周面に保持される。
【先行技術文献】
【特許文献】
【００１１】
【特許文献１】特開２０１１−２５１３９号公報
【発明の概要】
【発明が解決しようとする課題】
【００１２】
この提案済みの誤動作防止用ストッパーはトリガレバーと連動するノズルを直接の下動阻止対象とした部材であり、静止モードのトリガレバーおよびノズルを一体化した状態でその位置へ確実に保持するといった利点を備えたものである。
【００１３】
本発明は、このような特徴を持つ誤動作防止用ストッパーについて新タイプのものを提供し、内容物放出機構の誤動作防止技術の豊富化を図ることを目的とする。
【００１４】
また、誤動作防止用ストッパーを、トリガレバーと、その切欠状部に設定されたノズルとの間の前後方向スペースにその前方の内容物放出口側から入れていく態様とし、「側面カバーあり」のトリガレバーに対しても誤動作防止の実効化を図ることを目的とする。
【００１５】
また、左右一対のウイング状部からなる誤動作防止用ストッパーの全体を単純な左右対称形状（図２，図３参照）とし、その金型加工，管理，輸送などでの効率化，簡単化を図ることを目的とする。
【課題を解決するための手段】
【００１６】
本発明は、上記目的を次のようにして達成する。
（１）誤動作防止用ストッパー（例えば後述の誤動作防止用ストッパー１）が着脱され、利用者の内容物放出操作に基づいて容器（例えば後述のエアゾール容器５）の内容物を外部空間域に放出するための内容物放出操作構造において、
前記容器に一体化された上カバー（例えば後述の上カバー４ａ）と、
前記内容物放出操作の対象であって、前記上カバーに対する下方向への移動により、前記内容物が放出されない静止モードから内容物放出状態の作動モードへシフトさせる放出操作部（例えば後述のトリガレバー２）と、
前記放出操作部と連動して前記内容物に対する弁作用部を前記静止モードから前記作動モードに移行させ、かつ、前記弁作用部から流入する内容物の外部空間域への放出通路として作用するノズル（例えば後述のＬ字状ノズル３）とを備え、
前記誤動作防止用ストッパーは、
前記上カバーに保持される一対のウイング状部（例えば後述のウイング状部１ｂ）と、
これらウイング状部間の下方側に上開口の曲面態様で連続形成されて、前記ノズルの前端側外周面の回りの前後方向スペース（例えば後述の前後方向スペースＳ）に前記ノズルの前方側からその後側へと入れられることにより前記静止モードの前記ノズルの下側外周面（例えば後述のノズルピース３ｃの下側外周面）を下支えして、前記操作部の前記作動モードへの移動を阻止する曲面状の中央凹み部と（例えば後述の中央凹み部１ａ）と、からなる、
構成態様のものを用いる。
（２）容器（例えば後述のエアゾール容器５）の内容物をその放出操作部（例えば後述のトリガレバー２）と連動関係にたつノズル（例えば後述のＬ字状ノズル３）から外部空間域に放出するための内容物放出操作構造に取り付けられる誤動作防止用ストッパー（例えば後述の誤動作防止用ストッパー１）において、
前記容器に一体化された上カバー（例えば後述の上カバー４ａ）に保持される一対のウイング状部（例えば後述のウイング状部１ｂ）と、
これらウイング状部間の下方側に上開口の曲面態様で連続形成されて、前記ノズルの前端側外周面の回りの前後方向スペース（例えば後述の前後方向スペースＳ）に前記ノズルの前方側から後側へと入れられることにより、静止モードの前記ノズルの下側外周面（例えば後述のノズルピース３ｃの下側外周面）を下支えして、前記放出操作部の作動モードへの移動を阻止する曲面状の中央凹み部（例えば後述の中央凹み部１ａ）と、を備えた、
構成態様のものを用いる。
（３）上記（２）において、
前記中央凹み部は、
その前後方向と直交する縦断面がＵ字形状の凹み部であり、
前記Ｕ字形状の凹み部およびその左右両側の前記一対のウイング状部からなる全体が、前記凹み部の前後方向を中心とした左右対称の形状に設定された、
構成態様のものを用いる。
【００１７】
本発明は、以上の構成からなる内容物放出操作構造および誤動作防止用ストッパーならびにこの内容物放出操作構造などを備えたエアゾール式製品およびポンプ式製品を対象としている。
【発明の効果】
【００１８】
本発明は、以上の構成をとることにより、
(11)誤動作防止用ストッパーが、内容物通路としてのノズルの前端側外周面の回りの前後方向スペースに前方の内容物放出口側から入れられていくので、側面カバーありの放出操作部に対しても誤動作を防止でき、内容物放出操作の誤動作防止技術の豊富化を図り、
(12)誤動作防止用ストッパーの全体が単純な対称形状（図２，図３参照）に設定されるので、その金型加工，管理，輸送などでの効率化，簡単化を図る、
ことなどができる。
【図面の簡単な説明】
【００１９】
【図１】トリガレバータイプの内容物放出操作構造に誤動作防止用ストッパーが取り付けられて内容物放出操作が不能なロックモードの断面を示す説明図である。
【図２】図１のロックモードの正面視を示す説明図である。
【図３】誤動作防止用ストッパーを上カバーに取り付けて、Ｌ字状ノズルの前端側部分を下支え状態（＝図１，図２のロックモード）に設定する態様を示す説明図である。
【図４】誤動作防止用ストッパーを上カバーから取り外してトリガレバーの回動操作が可能な静止モードを示す説明図である。
【図５】図４のトリガレバーを回動操作して内容物が外部空間域に放出される作動モードを示す説明図である。
【発明を実施するための形態】
【００２０】
上述したように、本発明の誤動作防止用ストッパーを用いる内容物放出操作構造はエアゾール式製品およびポンプ式製品の双方へ適用されえるものであるが、以下の記載では単なる説明の便宜上、必要に応じてエアゾール式製品を前提とする。
【００２１】
図１〜図５を用いて本発明の実施形態を説明する。
【００２２】
なお、以下のアルファベット付き参照番号の構成要素（例えば中央凹み部１ａ）は原則として、当該参照番号の数字部分の構成要素（例えば誤動作防止用ストッパー１）の一部であることを示している。
【００２３】
図１〜図５において、
１は図２および図３などで示すように左右のシンメトリー形状からなる誤動作防止用ストッパー，
１ａは誤動作防止用ストッパー１の構成要素であって、自前後方向と直交する左右縦断面がＵ字形状でその内側に後述の横通路部３ｂおよびノズルピース３ｃの下外面部分を下支えする曲板状の中央凹み部（図２，図３参照），
１ｂは中央凹み部１ａの左右両側の連続部分であって、ロックモードのときそれぞれ後述の上カバー４ａの傾斜面４ｂに個々に載置保持される平面状で左右一対のウイング状部,
をそれぞれ示している。
【００２４】
また、
２は作動モード設定用の回動操作式の放出操作部としてのトリガレバー，
２ａはトリガレバー前側部分を構成する縦方向の回動操作部，
２ｂはトリガレバー後側部分を構成する横方向の天板状部，
２ｃは回動操作部２ａの上端側から天板状部２ｂの前端側にわたり連続形成されて後述のＬ字状ノズル３のノズルピース３ｃを外部空間域への露出状態に設定する切欠状部，
２ｄはトリガレバー２および後述の上カバー４ａそれぞれの後端部分の間に弾性復帰態様で形成されてトリガレバー回動中心作用を呈する回動基部，
２ｅは後述のＬ字状ノズル３を回動可能な態様で保持する一対の前後方向側面，
２ｆは前後方向側面２ｅの対向部分にそれぞれ形成されて後述のノズル回動軸３ｄを保持する上円弧状態様の一対の上半円状凹部，
をそれぞれ示している。
【００２５】
また、
３は後述のステム８の内容物流出側に取り付けられて、外部空間域への内容物放出通路部として作用するＬ字状ノズル，
３ａはステム８に直結された縦通路部，
３ｂは縦通路部３ａの上端部分から前方向に延びる横通路部，
３ｃは外部空間域への内容物放出口を有し、横通路部３ｂの前端部分に前記横通路部自体より上方向，左右方向などのそれぞれに大きな縦断面態様で形成された内容物放出作動用のノズルピース，
３ｄは縦通路部３ａと横通路部３ｂとの境界上側外面部分に左右方向態様で形成されて、トリガレバー２の上半円状凹部２ｆそれぞれとの間で、移動可能な係合保持作用を呈する円柱状のノズル回動軸，
Ｓはトリガレバー２の切欠状部２ｃと、その中に配設されたＬ字状ノズル３のノズルピース３ｃとの間の前後方向に縦断面Ｕ字状の態様で設定されて、誤動作防止用ストッパー１の中央凹み部１ａがＬ字状ノズル３の前方側から後方へと入れられる前後方向スペース，
それぞれ示している。
【００２６】
また、
４はトリガレバー２およびＬ字状ノズル３などの保護作用を呈するカバー（上カバー４ａ＋側面カバー４ｅ），
４ａは前開口で上面視Ｕ字状の上カバー，
４ｂは上カバー４ａの前端側上部分に形成されてロックモードのとき誤動作防止用ストッパー１のウイング状部１ｂそれぞれの載置対象となる後下がりで一対の傾斜面，
４ｃは上カバー４ａの後端側部分（回動基部２ｄの直後部分）に形成されて後述の天井端面４ｈと係合・一体化する垂下片部，
４ｄは垂下片部４ｃの後面部分に形成されて後述の天井端面４ｈと係合し、これにより上カバー４ａと側面カバー４ｅとを一体化する上向きの外側段部，
４ｅは上カバー４ａとの係合作用によりこれと一体化した前高・後低態様で上広がり円錐台状の側面カバー，
４ｆは側面カバー４ｅの高い方の前側上縁部分から下縦方向に形成されてトリガレバー２の移動域を確保する縦開口部，
４ｇは上カバー４ａの垂下片部４ｃの部分を上方から下方に通過させて入れ込むための縦貫通態様のガイド部，
４ｈはガイド部４ｇの上端側周方向に形成され、カバーの上カバー４ａの外側段部４ｄとの係合にともないカバー４（上カバー４ａ＋側面カバー４ｅ）を組み立てて一体化する天井端面，
４ｊは側面カバー４ｅの底面中央部に形成されて後述のステム８の上下動におけるガイド作用を呈する底面筒状部，
４ｋは側面カバー４ｅの下端側を構成して後述のマウンティングカップ６に嵌合保持される下端側筒状部，
をそれぞれ示している。
【００２７】
また、
５は噴射対象としての内容物および噴射剤としての液化ガス，圧縮ガスなどを収容した周知のエアゾール容器，
６はエアゾール容器の上開口部に取り付けられた周知のマウンティングカップ，
７はマウンティングカップ６に嵌合固定された内容物貯留・通過用の周知のハウジング，
８は下側部分がハウジング７の内部に配設されてトリガレバー２の回動操作にともない上下動し、周知の弁作用を呈するステム，
をそれぞれ示している。
【００２８】
ここで、誤動作防止用ストッパー１，トリガレバー２，Ｌ字状ノズル３，カバー４およびハウジング７は例えばポリプロピレン，ポリエチレン，ポリアセタール，ナイロン，ポリブチレンテレフタレートなどからなるプラスチック製のものである。
【００２９】
また、エアゾール容器５およびステム８はプラスチック製，金属製のものである。マウンティングカップ６は金属性のものである。
【００３０】
図示の誤動作防止用ストッパーを用いた内容物放出操作構造の基本的特徴は、
(21)誤動作防止用ストッパー１として、上カバー４ａの各傾斜面４ｂに載置される左右一対のウイング状部１ｂと、これらのウイング状部間の下方側に配設されて静止モード位置のＬ字状ノズル３を下支えし(図１，図２参照)その作動モードへの移動を阻止する中央凹み部１ａと、を備えたものを用い、
(22)この中央凹み部１ａを、ノズルピース３ｃの外周面部分とその回りのトリガレバー２の切欠状部２ｃとの間の前後方向スペースＳに、その前方から後方に入れ、かつ、ウイング状部１ｂを上カバー４ａの上面側後方にそれぞれ移動させ（図３参照）、
(23)この移動後の誤動作防止用ストッパー１は、ノズルピース３ｃや横通路部３ｂの外周面下側部分を中央凹み部１ａで下支えしえるとともに、左右一対のウイング状部１ｂがそれぞれ上カバー４ａの傾斜面４ｂに保持され(図１，図２参照)、
(24)この誤動作防止用ストッパー１が上カバー４ａの傾斜面４ｂに保持されることにより、ステム８のいわば駆動源としてのＬ字状ノズル３はロックモードの被下支え位置から下方に移動しえない、すなわち弁作用を呈するステム８は作動モード位置に移動できない、
ことである。
【００３１】
ここで、トリガレバー２およびＬ字状ノズル３は、上述したようにノズル回動軸３ｄが上半円状凹部２ｆにノズル当接してこれに倣いながら移動する態様で設定されている。
【００３２】
図４の静止モードでは、トリガレバー２は回動操作されていず、Ｌ字状ノズル３のノズル回動軸３ｄが一対の上半円状凹部２ｆそれぞれの最上部分に当接している。なお、Ｌ字状ノズル３と一体のステム８は周知のコイルスプリング（図示省略）の弾性作用で上方向に付勢されている。
【００３３】
静止モードのトリガレバー２を図示反時計方向に回動操作することにより、図５の作動モードに移行する。
【００３４】
作動モードへの移行に際して、トリガレバー２はその回動基部２ｄを中心に図示反時計方向に回動し、Ｌ字状ノズル３が、ノズル回動軸３ｄの上半円状凹部２ｆとの当接部分をその最上部分から図示右側部分へとシフトさせながら全体として下方に移動する。
【００３５】
Ｌ字状ノズル３の下方への移動にともない、内容物放出の弁作用を呈するステム８も下動して周知の弁作用部（図示省略）がそれまでの閉状態から開状態に移行する。これによりエアゾール容器５の内容物が「ハウジング７−ステム８−Ｌ字状ノズル３」を経て外部空間域に放出される。
【００３６】
図示の誤動作防止用ストッパー１は、このＬ字状ノズル３が下方へ移動することを阻止するためのストッパーである。
【００３７】
上述したように誤動作防止用ストッパー１は、左右一対のウイング状部１ｂおよびそれらの間の中央凹み部１ａで形成されている。そして誤動作防止用ストッパー１の全体は単純な左右対称形状（図２，図３参照）となっている。
【００３８】
ウイング状部１ｂで誤動作防止用ストッパー１を上カバー４ａに保持し、中央凹み部１ａの内下側部分で、トリガレバー２およびこれと下方向に連動するＬ字状ノズル３（ノズルピース３ｃ，横通路部３ｂ）の前端側下外面部分を下支えしている。
【００３９】
このように上カバー４ａにいわば固定保持された状態の誤動作防止用ストッパー１でＬ字状ノズル３を下支えすることにより、利用者がトリガレバー２を回動操作しようとしてもノズル回動軸３ｄが下動しえないといった図１，図２のロックモードに設定される。
【００４０】
図３に示すように、誤動作防止用ストッパー１をトリガレバー２の切欠状部２ｃや上カバー４ａの上面側に組み込んで取り付けるには、
(31)中央凹み部１ａを、ノズルピース３ｃの外周面部分とその回りのトリガレバー２の切欠状部２ｃとの間の前後方向スペースＳに、その前方から後方に入れ、
(32)かつ、ウイング状部１ｂを上カバー４ａの上面側を後方に移動させればよい。
【００４１】
この誤動作防止用ストッパー１の上カバー４ａへの組込み後には、ウイング状部１ｂが上カバー４ａの傾斜面４ｂに略当接保持された状態に設定される。
【００４２】
誤動作防止用ストッパー１は、トリガレバー２やＬ字状ノズル３の前方から後方へと入れてセットされるので、図示のように側面カバー４ｅが設けられたタイプの内容物放出操作構造にも効果的に適用される。
【００４３】
本発明の誤動作防止用ストッパーはトリガレバー以外の押下げ式などの内容物放出操作部の場合にも適用可能である。
【００４４】
本発明が適用されるポンプ式製品やエアゾール式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，栄養補助食品（ビタミンなど）医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００４５】
容器本体に収納する内容物は、液状，クリーム状，ゲル状など種々の形態のものを用いることができ、内容物に配合される成分としては例えば、粉状物，油成分，アルコール類，界面活性剤，高分子化合物，各用途に応じた有効成分，水などが挙げられる。
【００４６】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００４７】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００４８】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００４９】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００５０】
高分子化合物としては、メチルセルロース，ゼラチン，デンプン，カゼイン，ヒドロキシエチルセルロース，キサンタンガム，カルボキシビニルポリマーなどを用いる。
【００５１】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００５２】
さらに、上記内容物以外の、懸濁剤，紫外線吸収剤，乳化剤，保湿剤，酸化防止剤、金属イオン封鎖剤なども用いることができる。
【００５３】
エアゾール式製品における内容物放出用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【符号の説明】
【００５４】
１：誤動作防止用ストッパー
１ａ：中央凹み部
１ｂ：一対のウイング状部
【００５５】
２：トリガレバー
２ａ：回動操作部
２ｂ：天板状部
２ｃ：切欠状部
２ｄ：回動基部
２ｅ：一対の前後方向側面
２ｆ：一対の上半円状凹部
【００５６】
３：Ｌ字状ノズル
３ａ：縦通路部
３ｂ：横通路部
３ｃ：ノズルピース
３ｄ：ノズル回動軸
Ｓ：前後方向スペース
【００５７】
４：カバー（上カバー４ａ＋側面カバー４ｅ）
４ａ：上カバー
４ｂ：一対の傾斜面
４ｃ：垂下片部
４ｄ：外側段部
４ｅ：側面カバー
４ｆ：縦開口部
４ｇ：ガイド部
４ｈ：天井端面
４ｊ：底面筒状部
４ｋ：下端側筒状部
【００５８】
５：エアゾール容器
６：マウンティングカップ
７：ハウジング
８：ステム
【図１】
2020062607.tif 000003
【図２】
2020062607.tif 000004
【図３】
2020062607.tif 000005
【図４】
2020062607.tif 000006
【図５】
2020062607.tif 000007